(57)【要約】      （修正有）【課題】装置を小型化することによって利用者の邪魔にならず、しかも取り付けが容易な吸殻回収装置を提供する。【解決手段】一列に設けられたパチンコ台１の前方に設置された灰皿５と、前記灰皿５の下部に連通して設置された吸殻搬送レール７と、前記吸殻搬送レール７内に備えられたスクリューシャフト６と、前記スクリューシャフト６に回転力を与える駆動部８と、前記スクリューシャフト６によって搬送された吸殻を回収する回収箱７とを備えた吸殻回収装置において、前記駆動部８を前記スクリューシャフト６の下部に設置し、歯車機構10,11により駆動力を前記スクリューシャフト６に伝達することを特徴とする。【選択図】図３
0003101113.tif 000002
【実用新案登録請求の範囲】
【請求項１】
一列に設けられたパチンコ台の前方に設置された灰皿と、前記灰皿の下部に連通して設置された吸殻搬送レールと、前記吸殻搬送レール内に備えられたスクリューシャフトと、前記スクリューシャフトに回転力を与える駆動部と、前記スクリューシャフトによって搬送された吸殻を回収する回収箱とを備えた吸殻回収装置において、前記駆動部を前記スクリューシャフトの下部に設置し、歯車機構により駆動力を前記スクリューシャフトに伝達することを特徴とする吸殻回収装置。
【請求項２】
前記駆動部を前記回収箱内に備えたことを特徴とする請求項１記載の吸殻回収装置。
【請求項３】
前記駆動部がパチンコ台の一端に設置されたことを特徴とする請求項１または２記載の吸殻回収装置。
【請求項４】
前記灰皿の上部に設けられた吸煙口と、前記吸煙口と連通された排気部とを備えたことを特徴とする請求項１乃至３いずれか１項記載の吸殻回収装置。
【請求項５】
前記灰皿にドリンクホルダーを収納自在に形成したことを特徴とする請求項１乃至４いずれか１項記載の吸殻回収装置。
【考案の詳細な説明】
【技術分野】
【０００１】
本考案は、パチンコ台に備えられた灰皿に溜められた吸殻回収装置に関し、特に、スクリューシャフトにより吸殻を回収箱まで搬送する吸殻回収装置に関するものである。
【背景技術】
【０００２】
従来、パチンコの利用者はパチンコを楽しみながら台に備えられた灰皿を利用して喫煙をしており、その灰皿に溜まった吸殻の回収作業は回収担当者が行なうなど、専ら人力に頼るしかなかった。しかも、その灰皿はパチンコ台のスペースの制約から小さいものであり、そのため、回収作業を頻繁に行なう必要があり、作業が煩雑であるという問題があった。また、パチンコを楽しむ利用者にとっても、回収作業によってパチンコを中断される場合もあり、回収作業が利用者にとって邪魔であり、不愉快に感じるという問題があった。
【０００３】
このような問題を解決する手段として、図５および図６に示すように、パチンコ台101の前部に形成された段部111に備えられた灰皿102と、該灰皿102と連通して前記段部111の下部に設置されたスクリューケース103と、該スクリューケース103内に備えられたスクリューシャフト104と、該スクリューシャフト104に回転力を与える駆動モータ106と、吸殻を回収するダストケース105とにより構成され、前記灰皿102から投入された吸殻はスクリューケース103内をスクリューシャフト104の回転によって搬送され、スクリューケース103の一端に設けられたダストケース105に集められて回収される吸殻回収装置100が提案されている（例えば、特許文献１）。
【特許文献１】特開平１０−３３８２６
【考案の開示】
【考案が解決しようとする課題】
【０００４】
しかしながら、上述した従来例における吸殻回収装置100によっても、駆動モータ106がスクリューシャフト104と水平に設置されており、駆動モータ106の動力をプーリ107,108とタイミングベルト109によりスクリューシャフト104へ伝達する構造となっているので、駆動ユニット110が水平方向へ大型化し、既存のパチンコ台101に装置を据付ける際にパチンコ台の壁を壊さなければならないなど、既存のパチンコ台の大幅な改造を必要とし、工事費が高くなるという問題があった。しかも、図６に示すように、上記特許文献１に係る吸殻回収装置においては、一列に並んだパチンコ台100の中央に大型の駆動ユニット110を備える構成となっているので、装置が利用者の邪魔になるという問題があった。
【０００５】
そこで、本考案の主目的は、装置を小型化することによって利用者の邪魔にならず、しかも取り付けが容易な吸殻回収装置を提供することにある。
【課題を解決するための手段】
【０００６】
上記目的を達成するために、本考案は、一列に設けられたパチンコ台の前方に設置された灰皿と、前記灰皿の下部に連通して設置された吸殻搬送レールと、前記吸殻搬送レール内に備えられたスクリューシャフトと、前記スクリューシャフトに回転力を与える駆動部と、前記スクリューシャフトによって搬送された吸殻を回収する回収箱とを備えた吸殻回収装置において、前記駆動部を前記スクリューシャフトの下部に設置し、歯車機構により駆動力を前記スクリューシャフトに伝達することを特徴とする。
【０００７】
また、前記駆動部を前記回収箱内に備えることが好ましい。
【０００８】
また、前記駆動部がパチンコ台の一端に設置されることが好ましい。
【０００９】
また、前記灰皿の上部に設けられた吸煙口と、前記吸煙口と連通された排気部とを備えてもよい。
【００１０】
また、前記灰皿にドリンクホルダーを収納自在に形成してもよい。
【考案の効果】
【００１１】
本考案の請求項１記載の吸殻回収装置によれば、駆動部をスクリューシャフトの下部に設置し、歯車機構により駆動力を伝達するので駆動部を小型化することができ、利用者の邪魔にならない。
【００１２】
また、請求項２に記載の吸殻回収装置によれば、駆動部を回収箱内に備えるので、装置全体を小型化することができる。
【００１３】
また、請求項３に記載の吸殻回収装置によれば、駆動部及び回収箱がパチンコ台の一端に設置されるので、利用者の邪魔にならない。
【００１４】
また、請求項４に記載の吸殻回収装置によれば、吸煙口からタバコの煙を回収して排気部から大気へ排気するので、喫煙をしない利用者にとってもより良好な環境でパチンコをすることができる。
【００１５】
また、請求項５に記載の吸殻回収装置によれば、灰皿にドリンクホルダーを設けたので、利用者が喫煙だけでなく飲み物を飲みながらパチンコを楽しむことができる。
【考案を実施するための最良の形態】
【００１６】
以下図面を参照して、本考案の好適な実施形態について説明する。図１は本考案に係るパチンコ台の全体構成を模式的に示す構成図である。図２は灰皿とレールの位置関係を模式的に示す斜視図である。図３は吸殻回収装置の全体構成を模式的に示す構成図である。図４部分拡大図である。
【００１７】
パチンコ台１は、複数台が一列に横方向に連なって基台２に嵌め込まれて設けられており、前記基台２の前方には段部３が形成され、前記基台２に吸殻回収装置20が設置されている。
【００１８】
前記吸殻回収装置20は、前記段部３の上面のパチンコ台１に対して左側にそれぞれ灰皿５が設置され、前記段部３の下側に前記灰皿５と連通して吸殻搬送レールであるレール４が設置されており、該レール４内にスクリューシャフト６が備えられ、該スクリューシャフト６に回転力を与える駆動部であるモータ８と前記スクリューシャフト６によって搬送された吸殻等を回収する回収箱７が、基台２に設置されて構成されている。
【００１９】
前記レール４は、金属などの耐熱性の部材からなる円筒状の管であって、その上面において前記灰皿５と連通している。レール４には、灰皿５に投入された吸殻や灰を搬送するためのスクリューシャフト６が備えられており、該スクリューシャフト６の羽根6aがレール４内面に当接している。
【００２０】
前記スクリューシャフト６は、レール４と同様に金属などの耐熱性の部材からなり、前記レール４の全長に渡って該レール４内に配されており、レール４内に投入された吸殻等をその回転によって前記基台２の一端へ搬送する。
【００２１】
前記基台２の一端には前記スクリューシャフト６によってレール４内を搬送された吸殻等を回収する回収箱７と、前記スクリューシャフト６に回転力を与える駆動部であるモータ８が備えられる。
【００２２】
前記モータ８は、前記スクリューシャフト６の下部に設置されており、出力軸９の先端には同軸に第１の歯車10が連結され、該第１の歯車10の歯が、前記スクリューシャフト６の先端に同軸に連結された第２の歯車11の歯に噛み合うことによって、モータ８の回転力が前記第１および第２の歯車10,11を介して、前記スクリューシャフト６へ伝達される。モータ８をスクリューシャフト６の下部に設置したことによって、水平方向に小型化することができ、しかも、歯車機構により駆動力を伝達するので、より省スペース化を図ることができるので、既存のパチンコ台１に吸殻回収装置20を据付ける場合でも、基台２の改造をほとんどしなくて済むので、工事費を少なくすることができる。
【００２３】
すなわち、図示しないスイッチが投入されると前記モータ８が駆動し、それにより出力軸９および出力軸９に連結された第１の歯車10が回転し、第２の歯車11にモータ８の回転力を伝達する。これにより第２の歯車11と同軸に連結された前記スクリューシャフト６が前記レール４内を回転し、前記灰皿５からレール４内へ投入され吸殻等が、スクリューシャフト６の羽根6aにより基台２の一端へ搬送される。
【００２４】
前記基台２の一端には前記回収箱７が設置されており、前記スクリューシャフト６により搬送された吸殻等を受けるように前記レール４の下部に、基台２に着脱自在に設置される。こうすることによって、回収箱７を利用者の邪魔にならない基台２の端に設置できると共に、回収箱７の上部、すなわち、基台２の端にも灰皿５を設置することができるので、基台２のスペースを有効に利用することができ、しかも、一箇所にて集中的に吸殻等の回収を行なうことができるので、効率良く作業を行なうことができる。
【００２５】
ここで、前記第１および第２の歯車10,11による歯車機構は、けが防止と異物の巻き込みを防止するため、矩形状のケース12内に収納されるのが好ましい。
【００２６】
また、第２の歯車11とスクリューシャフト６は自由継ぎ手13を介して接続されることが好ましい。長いスクリューシャフト６の中心軸とモータ８の回転軸とを平行に合わせることは困難であるが、第２の歯車11の中心軸に対しスクリューシャフト６の中心軸が傾いていても、２自由度を有する自由継ぎ手13により、第２の歯車11とスクリューシャフト６間に生ずるズレを吸収するので、第１および第２の歯車10,11の歯を良好に噛み合わせることができる。したがって、モータ８の回転力を確実にスクリューシャフト６に伝達することができ、スムーズにスクリューシャフト６を回転させることができる。
【００２７】
また、前記回収箱７内に前記モータ８を配置してもよい。そうすれば、回収箱７の内部スペースを有効に使うことができるので、吸殻回収装置20全体をコンパクトにすることができ、より省スペース化を図ることができる。
【００２８】
さらに、前記灰皿５の上部に図示しない吸煙口を設け、前記吸煙口と配管によって連通された図示しない排気部を備えてもよい。これにより、灰皿５内および灰皿５周辺のタバコの煙を吸煙口より吸い込み、その煙が配管を通って排気部から大気へ排気することができるので、より良好な環境でパチンコを楽しむことができる。
【００２９】
また、前記灰皿５に図示しないドリンクホルダーを収納自在に備えることとしてもよい。これにより、喫煙だけでなく飲み物を飲みながらパチンコを楽しむことができる。しかも、使用しないときは収納しておくことができるので、利用者の邪魔になることもない。
【００３０】
本考案は、本実施形態に限定されるものではなく、本考案の要旨の範囲内で種々の変形実施が可能である。例えば、灰皿に蓋体を収納自在に設ければ、灰皿不使用時は灰皿に蓋をすることによってタバコの臭いを防止することができる。また、レールおよびスクリューシャフトを取り外して清掃を行なえるように、レールおよびスクリューシャフトを着脱自在に基台に設置してもよいし、さらに、基台にレールを設置したままの状態でレール内に水を流してレールおよびスクリューシャフトの清掃を行なえるように、レールに給水装置を接続してもよい。
【図面の簡単な説明】
【００３１】
【図１】本考案に係るパチンコ台の全体構成を模式的に示す構成図である。
【図２】同上、灰皿とレールの位置関係を模式的に示す斜視図である。
【図３】同上、吸殻回収装置の全体構成を模式的に示す構成図である。
【図４】同上、部分拡大図である。
【図５】従来例を示す斜視図である。
【図６】同上、構成図である。
【符号の説明】
【００３２】
１    パチンコ台
４    レール（吸殻搬送レール）
５    灰皿
６    スクリューシャフト
７    回収箱
８    モータ（駆動部）
10    第１の歯車（歯車機構）
12    第２の歯車（歯車機構）
【図１】
0003101113.tif 000003
【図２】
0003101113.tif 000004
【図３】
0003101113.tif 000005
【図４】
0003101113.tif 000006
【図５】
0003101113.tif 000007
【図６】
0003101113.tif 000008